(57)【要約】【課題】一の木素材から強度が高い良質の板材を有効に得られるとともに、素材の曲がりを防止しつつ、簡便に製材できる製材装置及び長板材の製材方法を提供する。【解決手段】両端に木口面を形成するように丸太材を切断し、さらに該木材を長手方向に平行な対向２平面を形成するように切断して得られた太鼓材Ｔであって、該太鼓材Ｔの長手両端側を着脱可能に把持して固定する固定部１２と、太鼓材Ｔの両幅端部を該太鼓材Ｔの軸線に対して一端側から他端側に向けて徐々に傾斜するように同時に切断する同時切断機構１４と、を備えたことを特徴とする製材装置１０から構成される。【選択図】図１
2007313759.tif 000002
【特許請求の範囲】
【請求項１】
両端に木口面を形成するように丸太材を切断し、さらに該木材を長手方向に平行な対向２平面を形成するように切断して得られた太鼓材であって、
該太鼓材の長手両端側を着脱可能に把持して固定する固定部と、
太鼓材の両幅端部を該太鼓材の軸線に対して一端側から他端側に向けて徐々に傾斜するように同時に切断する同時切断機構と、を備えたことを特徴とする製材装置。
【請求項２】
同時切断機構は、太鼓材の長手方向に沿うように設けられ、かつ一端側から他端側にかけてしだいに間隔が広がるようにテーパ状に対向配置された２個のレール部と、
太鼓材の両幅端部側を切断するようにレール部に案内されつつレール部の長手方向に沿って同時に走行する２個の切断刃を有する切断装置と、を含むことを特徴とする請求項１記載の製材装置。
【請求項３】
レール部のテーパ角度を変更させる角度変更機構を有することを特徴とする請求項２記載の製材装置。
【請求項４】
角度変更機構は、レール部の長手方向一端部側を枢支し、他端部側を自由端としたことを特徴とする請求項３記載の製材装置。
【請求項５】
角度変更機構は、レール部の一端側の相互の離隔度合いを示す目盛部が設けられたことを特徴とする請求項３または４記載の製材装置。
【請求項６】
切断装置の切断刃は、太鼓材の幅方向に向けて移動調整可能に設けられたことを特徴とする請求項２ないし５のいずれかに記載の製材装置。
【請求項７】
切断装置による切断時に該太鼓材の跳ね上がりを防止する木材押え部が設けられたことを特徴とする請求項２ないし６のいずれかに記載の製材装置。
【請求項８】
両端に木口面を形成するように丸太材を切断し、さらに該木材を長手方向に平行な対向２平面を形成するように切断して太鼓材を形成し、
太鼓材の両幅端部を該太鼓材の軸線に対して一端側から他端側に向けて徐々に傾斜するように同時に切断してテーパ状長角材を形成し、
このテーパ状長角材の両幅端部側から順次材芯側にかけて長板材を分割切断しつつ製材することを特徴とする長板材の製材方法。
【発明の詳細な説明】
【技術分野】
【０００１】
本発明は、例えば、集成材等に用いられる板材、その他の板材等を製材する際の木材加工に用いられる製材装置及び長板材の製材方法に関する。
【背景技術】
【０００２】
図８、図９に示すように、従来、伐採後に適当な長さに切断された丸太材から長板材を製材する際には、例えば、丸太材の対向２面をその繊維方向に沿って平行に切断して太鼓材Ｔを形成する。さらに該太鼓材Ｔの他の対向２面を繊維方向に沿って平行に切断して（図上、平行一点差線Ｐ、Ｐに沿って切断して）、断面矩形状の角材Ｎを切り出す。そして、該角材Ｎを一定間隔で平行に切断して多数の長板材Ｌが形成されていた。
【０００３】
一方、例えば、特許文献１には、丸太を角材に加工する際等に用いられる木材簡易切断装置が開示されている。この特許文献１の木材簡易切断装置は、該文献１添付図面の図１ないし図５に示すように、下部に丸太１３を保持する丸太保持部２０と上部にガイドレール３とが設けられたフレーム１と、ガイドレール３を走行する前、後車輪４，５と、前車輪４の車軸６方向に移動可能に該前車軸６に位置決め固定されるチェーンソー２と、を有している。そして、丸太１３を木材保持部２０を介して前後端、上下の４点で固定した状態で、チェーンソー２を車軸６方向に移動させて位置決めし、該チェーンソー２をガイドレール３に沿って走行させながら、丸太の側面を一面ずつ切断していくものであった。
【特許文献１】特開平７−３２３４０１号公報
【発明の開示】
【発明が解決しようとする課題】
【０００４】
ところで、丸太材（太鼓材）の中心Ｍ周辺部分は、その外部側（樹皮側）の部分と比べると、全般的にヤング係数が低く、強度が小さいことが知られている。また、一般的に丸太材は、樹木の成長特性により、元口側（根側）の径Ｄ１が大きく、末口側（梢側）の径Ｄ２が小さいテーパ状になっている。上述した図８、図９に示したような従来の製材方法では、ヤング係数が高く、強度が大きい樹皮側に近い部分が捨てられる一方で、ヤング係数が低く、強度が小さい中心Ｍ周辺部分が板材として利用されていた。すなわち、木材の有効利用度が極めて低い製材方法であった。
【０００５】
また、特許文献１の木材簡易切断装置のように、丸太から側面を一面ずつ切断する場合には、切断された部分と切断されてない部分とが偏る結果、木材の性質により木材が曲がってしまう場合が多い。木材が曲がってしまうと、他の側面の切断作業工程が困難となることから、曲がりを防止して真っ直ぐに保持しておく必要がある。よって、例えば、木材の長手方向の複数位置にカスガイ機能を有する曲がり防止装置が別途必要となり、装置構造が複雑化し、コストが高くつくものであった。さらに、加工工程も多くて加工効率が悪く、労力、時間もかかるという問題があった。
【０００６】
本発明は上記従来の課題に鑑みてなされたものであり、その一つの目的は、一の木素材からヤング係数の高く強度が高い良質の板材を有効に得られるとともに、素材の曲がりを防止しつつ、簡便に製材できる製材装置及び長板材の製材方法を提供することにある。さらに、他の目的は、簡単な構造で、低コストで製造できる製材装置及び製材方法を提供することにある。
【課題を解決するための手段】
【０００７】
上記課題を解決するために本発明は、両端に木口面を形成するように丸太材を切断し、さらに該木材を長手方向に平行な対向２平面を形成するように切断して得られた太鼓材Ｔであって、該太鼓材Ｔの長手両端側を着脱可能に把持して固定する固定部１２と、太鼓材Ｔの両幅端部を該太鼓材の軸線Ｇに対して一端側から他端側に向けて徐々に傾斜するように同時に切断する同時切断機構１４と、を備えたことを特徴とする製材装置１０から構成される。
【０００８】
また、同時切断機構１４は、太鼓材Ｔの長手方向に沿うように設けられ、かつ一端側から他端側にかけてしだいに間隔が広がるようにテーパ状に対向配置された２個のレール部２２と、太鼓材Ｔの両幅端部側を切断するようにレール部２２に案内されつつレール部２２の長手方向に沿って同時に走行する２個の切断刃２６を有する切断装置２４と、を含むこととしてもよい。
【０００９】
また、レール部２２のテーパ角度を変更させる角度変更機構２８を有することとしてもよい。
【００１０】
また、角度変更機構２８は、レール部２２の長手方向一端部側を枢支し、他端部側を自由端としたこととしてもよい。レール部２２の自由端側は、所定の位置で固定される。
【００１１】
また、角度変更機構２８は、レール部２２の一端側の相互の離隔度合いを示す目盛部４２が設けられたこととしてもよい。目盛部４２は、例えば、分度器、角度計により構成されていてもよい。
【００１２】
また、切断装置２４の切断刃２６は、太鼓材Ｔの幅方向に向けて移動調整可能に設けられたこととしてもよい。
【００１３】
また、切断装置２４による切断時に該太鼓材の跳ね上がりを防止する木材押え部６０が設けられたこととしてもよい。
【００１４】
さらに、本発明は、両端に木口面を形成するように丸太材を切断し、さらに該木材を長手方向に平行な対向２平面を形成するように切断して太鼓材Ｔを形成し、太鼓材Ｔの両幅端部を該太鼓材Ｔの軸線Ｇに対して一端側から他端側に向けて徐々に傾斜するように同時に切断してテーパ状長角材Ｗを形成し、このテーパ状長角材Ｗの両幅端部側から順次材芯側にかけて長板材Ｒを分割切断しつつ製材することを特徴とする長板材の製材方法から構成される。
【発明の効果】
【００１５】
本発明の製材装置によれば、両端に木口面を形成するように丸太材を切断し、さらに該木材を長手方向に平行な対向２平面を形成するように切断して得られた太鼓材であって、該太鼓材の長手両端側を着脱可能に把持して固定する固定部と、太鼓材の両幅端部を該太鼓材の軸線に対して一端側から他端側に向けて徐々に傾斜するように同時に切断する同時切断機構と、を備えたことから、太鼓材の両幅端部を傾斜するように同時に切断するので、木材の外側に近い部分であってヤング係数が高く、強度が高い部分を有効に製材品中に残すような製材を簡便に行える。したがって、例えば、板材を製材する際に、ヤング係数が高く、強度が高い板材を有効に得ることができる。さらに、同時に木材の両幅端部を切断するので、切断時及び切断後に木材の性質による反り、曲がりが生じるのを防止できる。よって、特殊なカスガイ機能の固定装置等を不要とし、装置構造を簡便に構成することができる。また、工数が少なくて済み、スムーズに製材作業を行える。
【００１６】
また、同時切断機構は、太鼓材の長手方向に沿うように設けられ、かつ一端側から他端側にかけてしだいに間隔が広がるようにテーパ状に対向配置された２個のレール部と、太鼓材の両幅端部側を切断するようにレール部に案内されつつレール部の長手方向に沿って同時に走行する２個の切断刃を有する切断装置と、を含むことにより、レール部をテーパ状に対向配置して、該レール部に沿って切断刃を走行させるだけの構成であるので、複雑な構造及び制御等を必要とせず、簡単な構成で同時切断機構を具体的に実現できる。また、製造コストも安くてすみ、メンテナンス等も簡便に行なえる。
【００１７】
また、レール部のテーパ角度を変更させる角度変更機構を有する構成とすることにより、例えば、木の種類や生育環境等で異なる太鼓材の両幅端部側のテーパ形状（勾配）に合わせて、レール部のテーパ状の広がり角度を調整することができる。その結果、種々の木材に対応して、ヤング係数が高い木材の外部側部分を効率良く有効に取ることができる。また、例えば、レール部を互いに平行に配置させることにより、同じ構造の装置を用いて、丸太材から太鼓材を形成する装置としても利用したり、太鼓材の軸線に対して平行となるように太鼓材の両幅端部を切断する装置等としても利用できる。したがって、汎用性、実用性が高い。
【００１８】
また、角度変更機構は、レール部の長手方向一端部側を枢支し、他端部側を自由端としたことにより、簡単な構造で、レール部の角度変更機構を具現できる。また、レール部の自由端側を移動するだけで、角度変更を簡単に行なえる。
【００１９】
また、角度変更機構は、レール部の一端側の相互の離隔度合いを示す目盛部が設けられた構成とすることにより、例えば、指標となる目盛部を見ながらレール部を調整することができるので、簡単かつ確実にレール部を目的の角度に設定して、円滑に製材することができる。
【００２０】
また、切断装置の切断刃は、太鼓材の幅方向に向けて移動調整可能に設けられた構成とすることにより、太鼓材の大きさに対応して、切断刃の切込み位置を調整できる。よって、木材の外部側のヤング係数が高く、強度が高い部分を有効かつ確実にとることができ、その結果、歩留まり良く製材することができる。
【００２１】
また、切断装置による切断時に該太鼓材の跳ね上がりを防止する木材押え部が設けられた構成とすることにより、切断時に太鼓材が上方側又は下方側に撓んで跳ね上がるのを良好に防止して、安定した状態で確実かつスムーズに木材の切断を行える。
【００２２】
さらに、本発明の長板材の製造方法によれば、両端に木口面を形成するように丸太材を切断し、さらに該木材を長手方向に平行な対向２平面を形成するように切断して太鼓材を形成し、太鼓材の両幅端部を該太鼓材の軸線に対して一端側から他端側に向けて徐々に傾斜するように同時に切断してテーパ状長角材を形成し、このテーパ状長角材の両幅端部側から順次材芯側にかけて長板材を分割切断しつつ製材することにより、木材の外部側のヤング係数が高く、強度が高い部分を有効に利用した長板材を製材することができると同時に、その製材を工数を増加させることなく簡便に行える。よって、製材された長板材は、強度が高いので、例えば、強度を必要とする建築材料としての製品価値としても高い。さらに、特にテーパ状長角材を形成する際には、太鼓材の両端部側を同時に切断するので、加工中の木材の反り、曲がりを防止できる。また、長板材として取った残りの部分は、材心側に大きく残るので他の板材等としても利用することができ、歩留まりが良い。
【発明を実施するための最良の形態】
【００２３】
以下添付図面を参照しつつ本発明の製材装置及び長板材の製材方法について説明する。本発明の製材装置及び製材方法は、例えば、伐採して所要の長さに切断された丸太材から、集成材等に用いられる長板材を製材する際に所要の工程で用いられる。
【００２４】
図１ないし図７は、本発明の製材装置及び製材方法の一実施形態を示している。本実施形態において、製材装置１０は、図１、図２に示すように、固定部１２と、同時切断機構１４と、を備えている。本実施形態では、各構成部等は、平面視で前後方向に横長く枠組みされた機枠１６に組み付けられている。なお、図１上で左側を前方とする。
【００２５】
本実施形態に係る製材装置１０の加工対象となる木材（素材）は、例えば、図７に示すような太鼓材Ｔからなる。図６、図７に示すように、太鼓材Ｔは、例えば、原木を伐採して両端に木口面を形成するように丸太材を切断し、さらに該丸太材を長手方向に平行な対向２平面を形成するように切断して加工される。丸太材は、両端の木口面側では、一般的に元口側の径が大きく、末口側の径が小さいテーパ状になっている。よって、太鼓材Ｔは、その幅は元口側の横幅Ｄ１が大きく、末口側の横幅Ｄ２が小さくなっており、その両幅側面は、長手方向の一端側から他端側に向けて広がったテーパ状になっている。本実施形態では、製材装置１０は、この太鼓材Ｔの両端部側をそのテーパ形状の側面と略平行な線Ｑすなわち軸線Ｇに対して傾斜した線に沿って切断して、断面矩形状でかつ長手方向の一端側から他端側に向けて幅方向に次第に広がるテーパ状長角材Ｗを形成する場合について説明する。なお、後述するように、形成されたテーパ状長角材Ｗは、例えば、他の板挽き用製材装置等（又は本実施形態に係る製材装置１０）を用いてさらに板挽きされて長板材Ｒが製材される。
【００２６】
固定部１２は、太鼓材Ｔを着脱可能に固定する固定手段である。本実施形態では、図１、図２に示すように、固定部１２は、機枠１６の幅方向の略中央となる位置に配置されており、太鼓材Ｔの長手両端側、すなわち木口面側を把持し、長手方向を水平にした横倒し状態で太鼓材を固定する。固定部１２は、太鼓材Ｔの長手両端側に配置される一対の把持部材１８と、各把持部材１８にロッドが連結され該把持部材１８どうしを互いに近接離間させる一対のシリンダ２０と、を含む。それぞれのシリンダ２０は、機枠１６の長手方向の両端側に配置され、床からある程度の高さ位置に設けられた台部１６１上に固定されている。把持部材１８は、例えば、側面視Ｌ字状に設けられ、その上端部側に太鼓材Ｔの木口面に当接する当接部を有しており、シリンダ２０を介して水平方向に移動するようになっている。太鼓材Ｔを把持する際には、前方側に該太鼓材の幅が狭い端部側を配置させるとともに、一対の把持部材１８の間に太鼓材Ｔを平行な対向２平面が上下を向き、テーパ状の両幅端部を左右にした状態で配置させ、把持部材１８を近接させて両端側を把持する。なお、種々の長さの太鼓材に対応して確実に長手両端側を把持することができる。
【００２７】
同時切断機構１４は、太鼓材Ｔの両幅端部を該太鼓材の軸線Ｇに対して一端側から他端側に向けて徐々に傾斜するように同時に切断する同時切断手段である。例えば、図６、図７に示すように、太鼓材Ｔの両幅端部のテーパ形状に沿って同時に切断することにより、従来のように木材の樹皮側のヤング係数が高く、強度が高い部分を棄てることがなく、製材品中に残して有効に利用することできる。さらに、太鼓材Ｔの両幅端部を同時に切断することにより、木材の特性により片側ずつ切断した際に生じるような反り、曲がりが生じるのを防止でき、効率良く太鼓材をテーパ状長角材に加工することができる。本実施形態では、同時切断機構１４は、一対のレール部２２と、２個の切断刃２６を有する切断装置２４と、を含む。
【００２８】
図１、図２に示すように、一対のレール部２２は、固定部１２よりも上方側の位置で長手方向を水平に向けつつ、太鼓材Ｔの長手方向に沿うように設けられ、機枠１６に支持されている。さらにレール部２２は、その長手方向の一端側から他端側にかけてしだいに間隔が広がるようにテーパ状に対向配置されている。図５にも示すように、レール部２２は、固定部１２に固定された太鼓材Ｔの軸線と平行となる平行位置Ｋ（一点鎖線）からそれぞれ幅方向両外側に向けて角度θで傾斜している。すなわち、レール部２２は、互いのなす角度が２θで平面視略ハ字状、又は略Ｖ字状に傾斜して対向配置されている。本実施形態では、レール部２２は、固定部１２に固定される太鼓材Ｔのテーパ状の両幅側面の傾斜に対応して、該太鼓材Ｔの両幅側面に対して略平行となるように設定される。
【００２９】
さらに、具体的には、各レール部２２は、幅方向中央にその長手方向離隔位置にスプロケット３０が配置されており、該長手方向に沿ってチェーン３２が調帯されている。そして、駆動モータ３４により、チェーンが長手方向に周回状に移動する。チェーンの一部には、切断装置２４が連結部４４を介して固定されている。レール部２２の下面側には、レール長手方向に沿って長い一対のスライドレール部材３５が下方に向けて突設配置されている。スライドレール部材３５は、切断装置２４を垂下状に連結支持しつつ、長手方向に沿ってスライド自在に案内する。駆動モータ３４を駆動させて、チェーン３２を周回移動させることにより、レール部２２の長手方向に沿って切断装置２４を移動させる。さらに、レール部２２は、一端側を機枠１６の前方側で幅方向に架設された前横架枠１６ａにキングピン３７等を介して枢支されている。一方、レール部の他端側は自由端となっており、Ｕ字状に両側壁２２１と底壁２２２を後方に突設させ、該底壁２２２を機枠の後方側に配置された後横架枠１６ｂの上面側に載置させて、所要の位置で端部固定機構３９を介して機枠１６の他の後横架枠１６ｂに固定される。すなわち、レール部２２は、テーパ角度θを変更可能に設けられており、上記のようにレール部の一端側を枢支し、他端側を自由端とすることにより角度変更機構２８を実現している。これにより、例えば、木の種類や生育年数等の種々条件により異なる太鼓材Ｔの両幅側側面のテーパ状の勾配に対応して、レール部２２の角度を調整することができる。また、必要に応じて、レール部２２を互いに平行となるように角度変更することもできる。これにより、例えば、本実施形態の製材装置１０により、丸太材から太鼓材を加工するのに用いることができる。また、従来のように、図８に示すように、太鼓材Ｔから断面形状が一定の角材Ｎを形成するのにも利用することができる。
【００３０】
図４に示すように、端部固定機構３９は、レール部２２の自由端の底壁２２２に縦方向に貫通しつつ該レール部２２の長手方向と交差する方向に長く設けられた長孔４０と、該長孔４０を縦に貫通しつつ後横架枠１６ｂに緊締、弛緩可能に締結する締結ボルト４４と、を含む。さらに、端部固定機構３９は、ねじ孔を有しレール部自由端の幅方向両側に離隔配置された支持壁部３８と、支持壁部３８のねじ孔に螺進退可能に螺合されてレール部２２の長手方向に交差するように軸を配置しつつ該レール部２２の自由端部の側壁２２１に先端を当接させる調整ボルト３６と、を含む。レール部２２の角度θを変更させる際には、締結ボルトを緩め、移動先側となる方の調整ボルト３６の先端をレール部より退避させる。そして他方の調整ボルト３６を螺進させて、その先端がレール部自由端部の側壁２２１を押し動かすことにより移動させる。締結ボルトを締め付けてレール部２２を固定する。なお、レール部２２の自由端側は、例えば、油圧シリンダを直接にレール部端部に接続したり、リンク機構やピニオン・ラック等の連係機構とモータやシリンダ等の駆動装置を用いてレール部自由端側の移動や固定をさせる構成としてもよい。
【００３１】
さらに、機枠１６の後横架枠１６ｂには、レール部２２の一端側の相互の離隔度合いを示す目盛部４２が設けられている。本実施形態では、目盛部４２は、例えば、レール部２２の自由端の一隅部Ｆの移動距離を測ることにより、該移動距離に対応して該自由端側の相互の離隔度合いを示すようになっている。例えば、レール部２２が互いに平行でかつ太鼓材の軸線とも平行となる位置での隅部Ｆの位置を０位置とし、該０位置からの移動距離を目盛で測りながら位置（角度）を合わせることができる。これにより、該レール部２２を目的の角度に簡単かつ確実に設定することができる。
【００３２】
図１、図２、図３に示すように、切断装置２４は、太鼓材Ｔすなわち加工対象材の両幅端部側を切断するようにレール部２２に案内されつつ、レール部２２の長手方向に沿って同時に走行する２個の切断刃２６を有している。本実施形態では、切断装置２４の切断刃２６は、前方から後方に向けて太鼓材Ｔの一端側から他端側に向けて幅の狭い側から幅の広い側へ向けて、レール部に沿って末広がり状に直線的に走行する。切断装置２４は、各々のレール部２２の下面側のスライドレール部材３５に垂下状に連結支持されている上部フレーム４６と、該上部フレーム４６にそれぞれ連結支持されつつ切断刃２６を支持する下部フレーム４８と、を含む。本実施形態では、切断刃２６は、中心部を支軸５０を介して回転自在に軸支された丸鋸からなる。切断刃２６は、レール部の対向内側位置にその円板面が鉛直面内となるように立てて配置されている。切断刃２６は、その支軸５０を横方向に向けて配置され、各下部フレーム４８の下方に伸びた腕部４８ａの下端側に回転自在に支持されている。切断刃２６を回転駆動させるモータ５２が下部フレーム４８に一体的に取り付けられており、チェーン５４等を介して回転駆動力を支軸５０に伝達する。本実施形態では、２個の切断刃２６は、それぞれ独立して回転駆動するとともに、独立してレール部２２の長手方向に沿って走行するようになっている。すなわち、切断時には切断刃をそれぞれ駆動させて、同時に走行させる。なお、切断刃はその走行速度（切断速度）を互いに同期させるように制御する構成としてもよい。上部フレーム４６は、中央部に上記レール部２２のチェーン３２の一部に連結固定される連結部４４が設けられており、その両側に同レール部のスライドレール部材３５にスライド自在に支持される受部が設けられている。下部フレーム４８は、上部フレーム４６とレール部２２の長手方向とは直交方向に長手方向を配置させたスライドレール５６を介して垂下状に連結支持されている。下部フレーム４８は、スライドレール５６に沿って、図示しない油圧シリンダ（又は油圧モータ）を介して上部フレーム４６に対して幅方向にスライド移動でき、かつ該移動位置で保持されるようになっている。さらに、下部フレーム４８は、その下方側に延設させた腕部４８ａに切断刃２６の支軸を支持している。すなわち、本実施形態では、切断刃２６は、レール部２２の長手方向に対して交差方向にスライド移動可能となっており、太鼓材Ｔの幅方向に向けて移動調整可能に設けられている。これにより、太鼓材Ｔの両幅の大きさが異なる場合でも、調整して木材の強度の高い部分を有効に取ることができる。また、切断刃２６を幅方向に順次材心側に向けて移動させることで、本実施形態に係る製材装置１０を用いてテーパ状角材の両端部側を切断して長板材を製材することもできる。なお、切断刃２６は、回転刃、チェーンソーその他任意の態様でもよく、２つの切断刃２６を有する切断装置２４は、レール部２２の長手方向に沿って同時に走行し、太鼓材の両幅端部側を切断するものであれば任意の構成でよい。また、本実施形態では、レール部の下方側に切断装置の切断刃２６を設置したが、これに限らず、レール部の上方側または側方側を切断刃が走行する構成でもよく、切断刃がレール部に案内されて走行する構成であれば任意でよい。
【００３３】
図１、図２、図３に示すように、切断装置２４には、太鼓材Ｔの表面側に切断刃２６が切込まれる位置を予め示すマーキング装置５８が設けられている。本実施形態では、マーキング装置５８は、ある程度の長さのレーザ光を照射するレーザ発光装置からなる。マーキング装置５８は、下部フレーム４８に固定されており、レール部２２の角度変更及び切断刃２６の幅方向調整時に、切断刃２６とともに移動し、常に切断刃の切込み予定位置を照射するようになっている。例えば、マーキング装置５８のレーザ光を太鼓材の樹皮の残っている部分と切削した平面との境界線に合わせるだけで、切断刃がその位置を切込むように設定できるので、技術熟練者でなくても簡便に位置合わせすることができる。
【００３４】
図２に示すように、切断装置２４による切断時に該太鼓材Ｔの跳ね上がりを防止する木材押え部６０が設けられている。木材押え部６０は、固定部１２に固定した太鼓材Ｔに下方からあてがわれる下受部６２と、該太鼓材Ｔに上方側から表面部分にあてがわれて上押え部６４と、を含む。下受部６２は、長手方向の中間位置に数箇所、図上では、２箇所設置されており、太鼓材Ｔに下面にあてがわれる支持部材６６と、該支持部材６６を上下に移動させるシリンダ６８と、を含む。上押え部６４は、切断刃２６の前方側に配置されて下部フレーム４８に支持されており、切断刃２６がレール部２２に沿って走行される時には該切断刃２６とともにレール部に沿って移動する。上押え部６４は、太鼓材の上面にあてがわれるローラ７０と、ローラを回転自在に軸支した下腕部と該下腕部を回動自在に枢支して下部フレームに接続された上腕部とを含む連節腕部７２と、上腕部の回りに下腕部を回動させるように下腕部の中間位置に伸縮ロッドを連結させたシリンダ７４と、を含む。これにより、切断時には、下受部６２と上押え部６４のシリンダ６８，７４をそれぞれ伸長させて支持部材とローラとを太鼓材の上下面にあてがわせて支持することにより該太鼓材の跳ね上がりを防止する。
【００３５】
なお、本実施形態では、図１、図３に示すように、製材装置１０には、太鼓材Ｔを製材装置１０の固定部１２へ搬入する搬入装置１００と、製材装置１０が製材したテーパ状長角材Ｗを搬出する搬出装置１０２が並設されているが、その構成の詳細は省略している。また、図１、図３に示すように、装置１０には、形成されたテーパ状長角材Ｗを搬出装置１０２側に搬送する搬送する搬送装置７６が設けられている。搬送装置７６は、例えば、形成されたテーパ状長角材Ｗを長手方向交差方向に横送り搬送するチェーンコンベアからなり、機枠の長手方向の離隔位置に配置された複数のスプロケット８０にそれぞれチェーン７８が調帯されている。スプロケット８０は、共通軸８２及び図示しない駆動モータを介して同時に回転するようになっており、それらのチェーン７８の上面側をコンベア面としてテーパ状長角材を幅方向に搬送させる。
【００３６】
次に、本実施形態に係る製材装置の作用とともに本実施形態に係る長板材の製材方法をあわせて説明をする。例えば、樹木を伐採した原木から、両端に木口面を形成するように切断して、３〜４ｍ程度の長さの丸太材を形成する。図６、図７に示すように、他の製材装置を用いて丸太材を長手方向に平行な対向２平面を形成するようにして太鼓材Ｔを形成する。次に、得られた太鼓材Ｔを、搬入装置１００により製材装置に搬入し、製材装置１０を介してテーパ状長角材に加工する。製材装置１０は、予め、角度調整機構２８を介してレール部２２を太鼓材の傾斜に対応してしだいに間隔が広がるようにテーパ状に角度をつけておく。搬入装置１００側から搬入された太鼓材Ｔを、固定部１２により平行な対向２平面が上下を向く状態で把持して固定する。切断装置２４の切断刃２６を太鼓材Ｔの幅方向に移動して、例えば、平面と樹皮との境界線（図６上、線Ｑ）の位置に切込み位置を調整する。切断刃２６を回転駆動させて、図５に示すように、該切断刃２６をレール部２２の長手方向に沿って同時に走行させて、太鼓材の両幅端部側を該太鼓材の軸線Ｇに対して一端側から他端側に向けて傾斜して切断してテーパ状長角材Ｗに加工する。そして、図６、図７に示すように、このテーパ状長角材Ｗの両幅端部側から順次材芯側にかけて長板材Ｒを分割切断しつつ製材する。この際、テーパ状長角材のテーパ状の両側面と平行に傾斜して切断していく。これにより、ヤング係数が高く、強度が高い部分を有効に利用した長板材Ｒを簡便に製材することができる。すなわち、木材の強度の高い部分を棄てることなく有効に利用できる。なお、両幅端部側から長板材をとるので材心側に、平面視縦長三角形状のくさび形木材Ｒｅが残る。このくさび形木材も例えば、板材として製材して、他用途に利用することもでき、歩留まりが良好な製材を行える。
【００３７】
以上説明した本発明の製材装置及び長板材の製材方法は、上記した実施形態のみの構成に限定されるものではなく、特許請求の範囲に記載した本発明の本質を逸脱しない範囲において、任意の改変を行ってもよい。
【産業上の利用可能性】
【００３８】
本発明の製材装置及び長板材の製材方法は、例えば、丸太材から長板材やその他板材を製材する際に有効に適用される。
【図面の簡単な説明】
【００３９】
【図１】本発明の実施形態に係る製材装置の平面説明図である。
【図２】図１の製材装置のＡ−Ａ線断面説明図である。
【図３】図１の製材装置のＢ−Ｂ線断面説明図である。
【図４】レール部の自由端側の拡大説明図である。
【図５】図１の製材装置の要部を示した作用説明図である。
【図６】図１の製材装置による製材の作用説明図及び実施形態に係る製材方法の概略説明した木材の平面図である。
【図７】図１の製材装置による製材の作用説明図及び実施形態に係る製材方法の概略説明図した木材の斜視図である。
【図８】従来の製材方法の概略説明平面図である。
【図９】太鼓材の斜視図及び従来の製材方法の概略説明図である。
【符号の説明】
【００４０】
１０  製材装置
１２  固定部
１４  同時切断機構
２２  レール部
２４  切断装置
２６  切断刃
２８  角度変更機構
４２  目盛部
【図１】
2007313759.tif 000003
【図２】
2007313759.tif 000004
【図３】
2007313759.tif 000005
【図４】
2007313759.tif 000006
【図５】
2007313759.tif 000007
【図６】
2007313759.tif 000008
【図７】
2007313759.tif 000009
【図８】
2007313759.tif 000010
【図９】
2007313759.tif 000011